(57)【要約】  眼鏡器具が、左右眼鏡部分とリンクとを有している。前記リンクは、前記眼鏡器具が、拡開状態と折り畳み状態との間で移行可能に構成されている。前記拡開状態では、前記眼鏡器具が、従来の眼鏡装着方向で使用者によって装着されるのに適合されている。前記折り畳み状態では、前記左右レンズのうち一方の内側レンズ面が、前記左右レンズのうち他方の外側レンズ面に面していて、前記左レンズの中央縁部分が、前記右レンズの側方縁部分よりも前記右レンズの中央縁部分に接近していて、前記左レンズの前記側方縁部分が、前記右レンズの前記中央縁部分よりも前記右レンズの前記側方縁部分に接近している。
2017500611.tif 000002
【特許請求の範囲】
【請求項１】
眼鏡器具であって、左眼鏡部分と、右眼鏡部分と、前記左右眼鏡部分を適切に接続するリンクと、左テンプル部材と、右テンプル部材とを有し、前記左眼鏡部分は左レンズを、前記右眼鏡部分は右レンズを有し、前記左レンズ及び前記右レンズはそれぞれ、中央縁部分と、側方縁部分と、上縁部分と、下縁部分と、内側レンズ面と、外側レンズ面とを含んでおり、前記リンクは、前記眼鏡器具が、拡開状態と折り畳み状態との間で移行可能に構成されており、前記左テンプル部材は、前記左眼鏡部分にヒンジ式に接続されていて、前記右テンプル部材は、前記右眼鏡部分にヒンジ式に接続されており、
前記拡開状態は、
（ａ）前記眼鏡器具が、従来の眼鏡装着方向で使用者によって装着されるのに適合されており、前記従来の眼鏡装着方向とは、前記左右レンズの前記内側レンズ面が前記使用者の左目及び右目にそれぞれほぼ面していて、かつ前記左右レンズの前記外側レンズ面が、前記左目及び右目のそれぞれほぼ反対側を向いている方向であって、
（ｂ）前記左右レンズの前記中央縁部分が通常、前記左レンズの前記側方縁部分と前記右レンズの前記側方縁部分との間にある、
状態であって、
前記折り畳み状態は、
（ａ）前記左右レンズのうち一方の内側レンズ面が、前記左右レンズのうち他方の外側レンズ面に面しており、
（ｂ）前記左レンズの前記中央縁部分が、前記右レンズの前記側方縁部分よりも前記右レンズの前記中央縁部分に接近しており、
（ｃ）前記左レンズの前記側方縁部分が、前記右レンズの前記中央縁部分よりも前記右レンズの前記側方縁部分に接近している、
状態である、眼鏡器具。
【請求項２】
前記リンクと前記左右眼鏡部分とは、前記眼鏡器具が前記拡開状態にあり、前記従来の眼鏡装着方向で使用者により装着されている場合に、前記左右眼鏡部分の少なくとも一方は、前記使用者と向かい合う、前記左右レンズの前記外側レンズ面に面している人の視界に前記リンクが入らないように配置され、構成されている、請求項１記載の眼鏡器具。
【請求項３】
前記眼鏡器具が前記拡開状態にあるとき、前記リンクと前記左右眼鏡部分とは、前記左右眼鏡部分の組み合わせにより前記リンクが完全に覆われるように、配置され、構成されている、請求項２記載の眼鏡器具。
【請求項４】
前記眼鏡器具が前記拡開状態にあるとき、前記リンクと前記左右眼鏡部分とは、前記リンクの第１の部分が前記左眼鏡部分によって覆われ、前記リンクの第２の部分が前記右眼鏡部分によって覆われるように、配置され、構成されている、請求項３記載の眼鏡器具。
【請求項５】
前記リンクは、前記眼鏡器具が前記拡開状態にあるとき、前記左右眼鏡部分を互いに近付けるように押す少なくとも１つのばねを有している、請求項３記載の眼鏡器具。
【請求項６】
前記リンクは、前記眼鏡器具が前記拡開状態にあるとき、前記左右眼鏡部分を互いに近付けるように押す少なくとも１つのばねを有している、請求項１記載の眼鏡器具。
【請求項７】
前記左右眼鏡部分のうち一方はプラグを有し、前記左右眼鏡部分のうち他方はソケットを有しており、前記プラグと前記ソケットとは、前記眼鏡器具が前記拡開状態にあるとき前記プラグが前記ソケット内にあるように寸法設定され、構成されている、請求項１記載の眼鏡器具。
【請求項８】
前記左テンプル部材は、少なくとも第１の左テンプル片と、該第１の左テンプル片にヒンジ式に接続された第２の左テンプル片とを有しており、前記右テンプル部材は、少なくとも第１の右テンプル片と、該第１の右テンプル片にヒンジ式に接続された第２の右テンプル片とを有している、請求項１記載の眼鏡器具。
【請求項９】
前記リンクは、左スライド部材と、右スライド部材と、接続部材とを有しており、前記左スライド部材は前記左眼鏡部分に摺動可能に接続されていて、前記右スライド部材は前記右眼鏡部分に摺動可能に接続されていて、前記接続部材は前記左スライド部材にヒンジ式に接続されていて、前記接続部材は前記右スライド部材にヒンジ式に接続されている、請求項１記載の眼鏡器具。
【請求項１０】
前記左眼鏡部分はリンク収容孔を有し、前記右眼鏡部分はリンク収容孔を有しており、前記左スライド部材は、前記左眼鏡部分の前記リンク収容孔内で摺動運動するために前記左眼鏡部分に摺動可能に連結されていて、前記右スライド部材は、前記右眼鏡部分の前記リンク収容孔内で摺動運動するために前記右眼鏡部分に摺動可能に連結されている、請求項９記載の眼鏡器具。
【請求項１１】
前記左眼鏡部分の前記リンク収容孔内に左ばねを、前記右眼鏡部分の前記リンク収容孔内に右ばねを、さらに有し、前記左ばねは、前記左スライド部材を前記左眼鏡部分の前記リンク収容孔内へと押すように向けられかつ構成されており、前記右ばねは、前記右スライド部材を前記右眼鏡部分の前記リンク収容孔内へと押すように向けられかつ構成されている、請求項１０記載の眼鏡器具。
【請求項１２】
前記眼鏡器具が前記折り畳み状態にあるとき、前記左右レンズは互いに重ねられている、請求項１記載の眼鏡器具。
【請求項１３】
眼鏡器具であって、左眼鏡部分と、右眼鏡部分と、前記左右眼鏡部分を適切に接続するリンクとを有し、前記左眼鏡部分は左レンズを、前記右眼鏡部分は右レンズを有し、前記左レンズ及び前記右レンズはそれぞれ、中央縁部分と、側方縁部分と、上縁部分と、下縁部分と、内側レンズ面と、外側レンズ面とを含んでおり、前記リンクは、前記眼鏡器具が、拡開状態と折り畳み状態との間で移行可能に構成されており、
前記拡開状態は、
（ａ）前記眼鏡器具が、従来の眼鏡装着方向で使用者によって装着されるのに適合されており、前記従来の眼鏡装着方向とは、前記左右レンズの前記内側レンズ面が前記使用者の左目及び右目にそれぞれほぼ面していて、かつ前記左右レンズの前記外側レンズ面が、前記左目及び右目のそれぞれほぼ反対側を向いている方向であって、
（ｂ）前記左右レンズの前記中央縁部分が通常、前記左レンズの前記側方縁部分と前記右レンズの前記側方縁部分との間にある、
状態であって、
前記折り畳み状態は、
（ａ）前記左右レンズのうち一方の内側レンズ面が、前記左右レンズのうち他方の外側レンズ面に面しており、
（ｂ）前記左レンズの前記中央縁部分が、前記右レンズの前記側方縁部分よりも前記右レンズの前記中央縁部分に接近しており、
（ｃ）前記左右レンズが互いに重ねられている、
状態であって、
前記リンクと前記左右眼鏡部分とは、前記眼鏡器具が前記拡開状態にあり、前記従来の眼鏡装着方向で使用者により装着されている場合に、前記左右眼鏡部分の少なくとも一方は、前記使用者と向かい合う、前記左右レンズの前記外側レンズ面に面している人の視界に前記リンクが入らないように配置され、構成されている、眼鏡器具。
【請求項１４】
前記眼鏡器具が前記拡開状態にあるとき、前記リンクと前記左右眼鏡部分とは、前記左右眼鏡部分の組み合わせにより前記リンクが完全に覆われるように配置され、構成されている、請求項１３記載の眼鏡器具。
【請求項１５】
前記リンクは、前記眼鏡器具が前記拡開状態にあるとき、前記左右眼鏡部分を互いに近付けるように押す少なくとも１つのばねを有している、請求項１４記載の眼鏡器具。
【請求項１６】
前記左眼鏡部分は左磁石部材を有し、前記右眼鏡部分は右磁石部材を有しており、前記眼鏡器具が前記拡開状態にあるとき前記左右磁石部材は互いに磁気的に引き合って、前記眼鏡器具を解除可能に前記拡開状態に維持する、請求項１３記載の眼鏡器具。
【請求項１７】
眼鏡器具であって、左眼鏡部分と、右眼鏡部分と、前記左右眼鏡部分を適切に接続するリンクとを有し、前記左眼鏡部分は左レンズを、前記右眼鏡部分は右レンズを有し、前記左レンズ及び前記右レンズはそれぞれ、中央縁部分と、側方縁部分と、上縁部分と、下縁部分と、内側レンズ面と、外側レンズ面とを含んでおり、前記リンクは、前記眼鏡器具が、拡開状態と折り畳み状態との間で移行可能に構成されており、前記左右眼鏡部分のうち一方がプラグを有し、前記左右眼鏡部分のうち他方がソケットを有しており、
前記拡開状態は、
（ａ）前記眼鏡器具が、従来の眼鏡装着方向で使用者によって装着されるのに適合されており、前記従来の眼鏡装着方向とは、前記左右レンズの前記内側レンズ面が前記使用者の左目及び右目にそれぞれほぼ面していて、かつ前記左右レンズの前記外側レンズ面が、前記左目及び右目のそれぞれほぼ反対側を向いている方向であって、
（ｂ）前記左右レンズの前記中央縁部分が通常、前記左レンズの前記側方縁部分と前記右レンズの前記側方縁部分との間にある、
状態であって、
前記折り畳み状態は、
（ａ）前記左右レンズのうち一方の内側レンズ面が、前記左右レンズのうち他方の外側レンズ面に面しており、
（ｂ）前記左レンズの前記中央縁部分が、前記右レンズの前記側方縁部分よりも前記右レンズの前記中央縁部分に接近しており、
（ｃ）前記左右レンズが互いに重ねられている、
状態であって、
前記プラグとソケットとは、前記眼鏡器具が前記拡開状態にあるとき、前記プラグが前記ソケット内にあるように寸法設定され構成されている、眼鏡器具。
【請求項１８】
前記リンクは、左スライド部材と、右スライド部材と、接続部材とを有しており、前記左スライド部材は前記左眼鏡部分に摺動可能に接続されていて、前記右スライド部材は前記右眼鏡部分に摺動可能に接続されていて、前記接続部材は前記左スライド部材にヒンジ式に接続されていて、前記接続部材は前記右スライド部材にヒンジ式に接続されている、請求項１７記載の眼鏡器具。
【請求項１９】
前記左眼鏡部分はリンク収容孔を有し、前記右眼鏡部分はリンク収容孔を有しており、前記左スライド部材は、前記左眼鏡部分の前記リンク収容孔内で摺動運動するために前記左眼鏡部分に摺動可能に連結されていて、前記右スライド部材は、前記右眼鏡部分の前記リンク収容孔内で摺動運動するために前記右眼鏡部分に摺動可能に連結されている、請求項１８記載の眼鏡器具。
【請求項２０】
前記左眼鏡部分の前記リンク収容孔内に左ばねを、前記右眼鏡部分の前記リンク収容孔内に右ばねを、さらに有し、前記左ばねは、前記左スライド部材を前記左眼鏡部分の前記リンク収容孔内へと押すように向けられかつ構成されており、前記右ばねは、前記右スライド部材を前記右眼鏡部分の前記リンク収容孔内へと押すように向けられかつ構成されている、請求項１９記載の眼鏡器具。
【請求項２１】
第１の磁石部材と第２の磁石部材とをさらに有し、前記第１の磁石部材は、前記プラグ部分の少なくとも一部を構成しており、前記第２の磁石部材は前記ソケット部分に隣接していて、前記眼鏡器具が前記拡開状態にあるとき前記第１及び第２の磁石部材は互いに磁気的に引き合って、前記眼鏡器具を解除可能に前記拡開状態に維持する、請求項１７記載の眼鏡器具。
【発明の詳細な説明】
【技術分野】
【０００１】
関連出願との相互参照
この出願は、２０１３年１２月２０日に提出された米国特許出願番号１４／１３６３０８の優先権を請求し、その内容全体は参照することによって本願に組み込まれる。
【０００２】
連邦政府による資金提供を受けた研究開発の記載
該当なし。
【０００３】
付録
該当なし。
【０００４】
発明の背景
発明の分野
本発明は、折り畳み可能な眼鏡に関する。
【０００５】
発明の概要
本発明の１つの態様は、左眼鏡部分と、右眼鏡部分と、左右眼鏡部分を適切に接続するリンクと、左テンプル部材と、右テンプル部材と、を有している眼鏡器具である。左眼鏡部分は左レンズを有している。右眼鏡部分は右レンズを有している。前記左レンズ及び前記右レンズはそれぞれ、中央縁部分と、側方縁部分と、上縁部分と、下縁部分と、内側レンズ面と、外側レンズ面とを含んでいる。前記リンクは、前記眼鏡器具が、拡開状態と折り畳み状態との間で移行可能に構成されている。左テンプル部材は、左眼鏡部分にヒンジ式に接続されていて、右テンプル部材は、右眼鏡部分にヒンジ式に接続されている。前記拡開状態は、（ａ）前記眼鏡器具が、従来の眼鏡装着方向で使用者によって装着されるのに適合されており、前記従来の眼鏡装着方向とは、前記左右レンズの前記内側レンズ面が前記使用者の左目及び右目にそれぞれほぼ面していて、かつ前記左右レンズの前記外側レンズ面が、前記左目及び右目のそれぞれほぼ反対側を向いている方向であって、（ｂ）前記左右レンズの前記中央縁部分が通常、前記左レンズの前記側方縁部分と前記右レンズの前記側方縁部分との間にある、状態である。前記折り畳み状態は、（ａ）前記左右レンズのうち一方の内側レンズ面が、前記左右レンズのうち他方の外側レンズ面に面しており、（ｂ）前記左レンズの前記中央縁部分が、前記右レンズの前記側方縁部分よりも前記右レンズの前記中央縁部分に接近しており、（ｃ）前記左レンズの前記側方縁部分が、前記右レンズの前記中央縁部分よりも前記右レンズの前記側方縁部分に接近している、状態である。
【０００６】
本発明の別の態様は、左眼鏡部分と、右眼鏡部分と、左右眼鏡部分を適切に接続するリンクと、を有している眼鏡器具である。前記左眼鏡部分は左レンズを、前記右眼鏡部分は右レンズを有している。前記左レンズ及び前記右レンズはそれぞれ、中央縁部分と、側方縁部分と、上縁部分と、下縁部分と、内側レンズ面と、外側レンズ面とを含んでいる。前記リンクは、前記眼鏡器具が、拡開状態と折り畳み状態との間で移行可能に構成されている。前記拡開状態は、（ａ）前記眼鏡器具が、従来の眼鏡装着方向で使用者によって装着されるのに適合されている状態である。前記従来の眼鏡装着方向とは、前記左右レンズの前記内側レンズ面が前記使用者の左目及び右目にそれぞれほぼ面していて、かつ前記左右レンズの前記外側レンズ面が、前記左目及び右目のそれぞれほぼ反対側を向いている方向であって、（ｂ）前記左右レンズの前記中央縁部分が通常、前記左レンズの前記側方縁部分と前記右レンズの前記側方縁部分との間にある、状態である。前記折り畳み状態は、（ａ）前記左右レンズのうち一方の内側レンズ面が、前記左右レンズのうち他方の外側レンズ面に面しており、（ｂ）前記左レンズの前記中央縁部分が、前記右レンズの前記側方縁部分よりも前記右レンズの前記中央縁部分に接近しており、（ｃ）前記左右レンズが互いに重ねられている、状態である。前記リンクと左右眼鏡部分とは、前記眼鏡器具が前記拡開状態にあり、前記従来の眼鏡装着方向で使用者により装着されている場合に、前記左右眼鏡部分の少なくとも一方は、前記使用者と向かい合う、前記左右レンズの前記外側レンズ面に面している人の視界に前記リンクが入らないように配置され、構成されている。
【０００７】
本発明の別の態様は、左眼鏡部分と、右眼鏡部分と、左右眼鏡部分を適切に接続するリンクと、を有している眼鏡器具である。前記左眼鏡部分は左レンズを、前記右眼鏡部分は右レンズを有している。前記左レンズ及び前記右レンズはそれぞれ、中央縁部分と、側方縁部分と、上縁部分と、下縁部分と、内側レンズ面と、外側レンズ面とを含んでいる。前記リンクは、前記眼鏡器具が、拡開状態と折り畳み状態との間で移行可能に構成されている。前記左右眼鏡部分のうち一方はプラグを有し、前記左右眼鏡部分のうち他方はソケットを有している。 前記拡開状態は、（ａ）前記眼鏡器具が、従来の眼鏡装着方向で使用者によって装着されるのに適合されており、前記従来の眼鏡装着方向とは、前記左右レンズの前記内側レンズ面が前記使用者の左目及び右目にそれぞれほぼ面していて、かつ前記左右レンズの前記外側レンズ面が、前記左目及び右目のそれぞれほぼ反対側を向いている方向であって、（ｂ）前記左右レンズの前記中央縁部分が通常、前記左レンズの前記側方縁部分と前記右レンズの前記側方縁部分との間にある、状態である。前記折り畳み状態は、（ａ）前記左右レンズのうち一方の内側レンズ面が、前記左右レンズのうち他方の外側レンズ面に面しており、（ｂ）前記左レンズの前記中央縁部分が、前記右レンズの前記側方縁部分よりも前記右レンズの前記中央縁部分に接近しており、（ｃ）前記左右レンズが互いに重ねられている、状態である。前記プラグとソケットとは、前記眼鏡器具が前記拡開状態にあるとき、前記プラグが前記ソケット内にあるように寸法設定され構成されている。
【０００８】
本発明の他の特徴及び利点、並びに発明の操作は、添付の図面を参照して以下に詳細に説明される。
【図面の簡単な説明】
【０００９】
【図１】本発明による眼鏡器具の１つの実施態様を示す正面斜視図であって、この眼鏡器具は拡開状態にあり、この眼鏡器具は、左眼鏡部分と、右眼鏡部分と、左テンプル部材と、右テンプル部材とを有している。
【図２】図１の眼鏡器具を示す正面斜視図であるが、眼鏡器具は折り畳み状態にあり、左眼鏡部分と右眼鏡部分とを適切に接続するリンクが見えている。
【図３】図２の眼鏡器具を示す後方斜視図であって、眼鏡器具は折り畳み状態にある。
【図４】図１及び図２の眼鏡器具を示す正面斜視図であるが、眼鏡器具は拡開状態と折り畳み状態との間の第１の中間状態にある。
【図５】図１及び図２の眼鏡器具を示す正面斜視図であるが、眼鏡器具は第１の中間状態と折り畳み状態との間の第２の中間状態にある。
【図６】図４の第１の中間状態にあるリンクを示す拡大した部分的な正面斜視図である。
【図７】図６に類似した拡大した部分的な正面斜視図であるが、リンクの詳細を示すために左右眼鏡部分が破断されている。
【図８】図１及び図２の眼鏡器具を示す拡大した部分的な正面斜視図であるが、リンクの詳細を示すために左右眼鏡部分が破断されていて、左右眼鏡部分は拡開状態にあり、左右のテンプル部材は折り畳まれた状態にある。
【００１０】
明細書及び図面における参照符号は対応する物を示している。
【００１１】
詳細な説明
本発明による眼鏡器具の実施態様が、図１〜図８において参照符号２０により示されている。眼鏡器具２０は左眼鏡部分２２と、右眼鏡部分２４と、左右眼鏡部分を適切に接続するリンク２６と、左テンプル（つる）部材３０と、右テンプル部材３２とを有している。左眼鏡部分２２は左レンズ３４と左フレーム部材３６とを有している。右眼鏡部分２４は右レンズ３８と右フレーム部材４０とを有している。左右レンズ３４，３８は、眼鏡器具２０をサングラスとして使用することができるように着色されてよく、かつ／又は左右レンズは、近視又は遠視の問題をかかえる使用者の視界を改善するための補正レンズであってよい。左レンズ３４は、中央縁部分３４ａと、側方縁部分３４ｂと、上縁部分３４ｃと、下縁部分３４ｄと、内側レンズ面３４ｅと、外側レンズ面３４ｆとを含む。右レンズ３８は、中央縁部分３８ａと、側方縁部分３８ｂと、上縁部分３８ｃと、下縁部分３８ｄと、内側レンズ面３８ｅと、外側レンズ面３８ｆとを含む。後で詳しく説明するリンク２６は、眼鏡器具２０が、拡開状態（図１参照）と折り畳み状態（図２、図３参照）との間で移行可能に構成されている。左テンプル部材３０は、左眼鏡部分２２の左フレーム部材３６にヒンジ式に接続されている。右テンプル部材３２は、右眼鏡部分２４の右フレーム部材４０にヒンジ式に接続されている。
【００１２】
図１に示したように、拡開状態は、眼鏡器具２０が、従来の眼鏡装着方向で使用者によって装着されるのに適合されている状態である。従来の眼鏡装着方向とは、左右レンズ３４，３８の内側レンズ面３４ｅ，３８ｅが使用者（図示せず）の左目及び右目にそれぞれほぼ面していて、かつ左右レンズの外側レンズ面３４ｆ，３８ｆが、左目及び右目のそれぞれほぼ反対側を向いている方向である。従来の眼鏡装着方向では、左右レンズ３４，３８の中央縁部分３４ａ，３８ａが通常、左レンズ３４の側方縁部分３４ｂと右レンズ３８の側方縁部分３８ｂとの間にある。
【００１３】
この実施態様の折り畳み状態は、眼鏡器具が、使用者によってケース又はポケット又はその他にしまわれて置かれるのに適合された状態である。図２及び図３に示されたように、折り畳み状態は、左レンズ３４の内側レンズ面３４ｅが右レンズ３８の外側レンズ面３８ｆに面していて、左レンズ３４の中央縁部分３４ａが、右レンズ３８の側方縁部分３８ｂよりも右レンズ３８の中央縁部分３８ａに接近していて、かつ左レンズ３４の側方縁部分３４ｂが、右レンズ３８の中央縁部分３８ａよりも右レンズ３８の側方縁部分３８ｂに接近している状態である。本態様の折り畳み状態では、左右レンズ３４，３８が互いに重ねられている。折り畳み状態では左右レンズが互いに重ねられているので、左レンズ３４の中央縁部分３４ａと側方縁部分３４ｂとに交差する少なくとも１つの直線は、右レンズ３８にも交差する。
【００１４】
再び図１を参照する。リンク２６と左右眼鏡部分２２，２４とは、眼鏡器具２０が拡開状態にあり、従来の眼鏡装着方向で使用者により装着されている場合に、左右眼鏡部分２２，２４の少なくとも一方は、使用者と向かい合う、左右レンズ３４，３８の外側レンズ面３４ｆ，３８ｆに面している人の視界にリンク２６が入らないように配置され、構成されている。本態様では、眼鏡器具２０が拡開状態にあるとき、リンク２６と左右眼鏡部分２２，２４とは、左右眼鏡部分の組み合わせによりリンクが完全に覆われるように配置及び構成されている。
【００１５】
本態様のリンク２６は、左スライド部材５０と、右スライド部材５２と、接続部材５４と、左ばね５６と、右ばね５８とを有している。左スライド部材５０は、左眼鏡部分２２の左フレーム部材３６内にある左のリンク収容孔６０内での中央位置（図７参照）と側方位置（図８参照）との間の摺動運動のために、リンク収容孔６０内で摺動可能である。同様に、右スライド部材５２は、右眼鏡部分２４の右フレーム部材４０内にある右のリンク収容孔６２内での中央位置（図７参照）と側方位置（図８参照）との間の摺動運動のために、リンク収容孔６２内で摺動可能である。図７に示したように、左スライド部材５０がその中央位置にある場合、左スライド部材は左のリンク収容孔６０への入口に隣接している。右スライド部材５２がその中央位置にある場合、右スライド部材は右のリンク収容孔６２への入口に隣接している。図８に示したように、左スライド部材５０がその側方位置にある場合、左スライド部材は左のリンク収容孔６０への入口から側方へ間隔を置いて位置している。右スライド部材５２がその側方位置にある場合、右スライド部材は右のリンク収容孔６２への入口から側方へ間隔を置いて位置している。左スライド部材５０はその側方位置で左ばね５６によって付勢されていて、右スライド部材５２はその側方位置で右ばね５８によって付勢されている。換言すると、左ばね５６は、左スライド部材５０を左眼鏡部分２２の左リンク収容孔６０内へと押していて、右ばね５８は、右スライド部材５２を右眼鏡部分２４の右リンク収容孔６２内へと押している。眼鏡器具２０が拡開状態にある場合（図１及び図８）、左ばね５６及び右ばね５８は、左右眼鏡部分２２，２４を互いに向かって押している。接続部材５４の左端部は、左スライド部材５０に左蝶番６４を介してヒンジ式に接続されていて、接続部材５４の右端部は、右スライド部材５２に右蝶番６６を介してヒンジ接続されている。左右のスライド部材５０，５２がその側方位置にある場合に、眼鏡器具が折り畳み状態から、又は折り畳み状態へと移行することができる適正な位置に右蝶番６６があることを保証するために、右リンク収容孔６０と右スライド部材５２とは好適には、右リンク収容孔内で右スライド部材が自由に回転しないように構成され、方向付けられている。リンク２６はさらに、左右の保持スリーブ６８，７０を有している。左保持スリーブ６８は、左リンク収容孔６０への入口近くで左リンク収容孔６０内に位置していて、右保持スリーブ７０は、右リンク収容孔６２への入口近くで右リンク収容孔６２内に位置している。左保持スリーブ６８は、左スライド部材５０を左リンク収容孔６０内でその側方位置と中央位置との間で摺動可能にするが、左スライド部材と左ばね５６とが左リンク収容孔から引き出されないようにする。右保持スリーブ７０は、右スライド部材５２を右リンク収容孔６２内でその側方位置と中央位置との間で摺動可能にするが、右スライド部材と右ばね５８とが右リンク収容孔から引き出されないようにしている。
【００１６】
本態様では、左眼鏡部分２２は突出したプラグ７２を、右眼鏡部分２４はソケット７４を有している。このプラグとソケットとは、眼鏡器具２０が拡開状態にあるときプラグがソケット内にあるように寸法設定され構成されている。本態様では、プラグ７２は左磁石部材７６を有し、ソケット７４は、左フレーム部材３６内に設けられた右磁石部材７８内に形成されている。眼鏡器具２０の左右眼鏡部分２２，２４が拡開状態にあるとき（図１及び図８）、左右磁石部材７６，７８は互いに磁気的に引き合って左右眼鏡部分を互いに近付かせ、これにより眼鏡器具を解除可能に拡開状態に維持する。磁石部材を備える代わりに、又は磁石部材に加えて付加的に、プラグ７２とソケット７４を、ソケット７４内でプラグ７２のとまりばめが行われるように形造り、これにより解除可能に眼鏡器具２０を拡開状態に維持することも考えられる。
【００１７】
本態様では、左テンプル部材３０は、第１の左テンプル片８０、第２の左テンプル片８２、及び第３の左テンプル片８４を有している。第１の左テンプル片８０は、左眼鏡部分２２の左フレーム部材３６にヒンジ式に接続されていて、第２の左テンプル片８２は、第１の左テンプル片にヒンジ式に接続されていて、第３の左テンプル片８４は、第２の左テンプル片にヒンジ式に接続されている。左テンプル片のヒンジ式接続により左テンプル部材３０は折り畳まれていない状態（図１）と折り畳まれた状態（図３）との間で可動である。右テンプル部材３２は、第１の右テンプル片８６と第２の右テンプル片８８とを有している。第１の右テンプル片８６は、右眼鏡部分２４の右フレーム部材４０にヒンジ式に接続されていて、第２の右テンプル片８８は、第１の右テンプル片にヒンジ式に接続されている。右テンプル片のヒンジ式接続により右テンプル部材３２は折り畳まれていない状態（図１）と折り畳まれた状態（図３）との間で可動である。
【００１８】
操作においては、使用者が眼鏡器具を従来の眼鏡装着方向で装着したい場合には、使用者は眼鏡器具２０を拡開状態にし、使用しない場合には使用者は眼鏡器具を折り畳み状態にすることができる。拡開状態（図１）から折り畳み状態（図２及び図３）へと眼鏡器具２０を移行させるために、使用者はまず、左右眼鏡部分２２，２４を互いに離すように側方へと引っ張り（図４、図６、図７）、左右テンプル部材３０，３２を折り畳み状態へと動かす。左右眼鏡部分２２，２４を互いに離すように側方へと引っ張ることにより左右のスライド部材５０，５２がその側方位置（図８）から中央位置（図７）へと摺動し、左右の蝶番６４，６６は各リンク収容孔６０，６２から外へ突出し、接続部材５４が露出する。これにより左右眼鏡部分２２，２４を左右の蝶番６４，６６を介してまずは図５に示された中間位置へと旋回させ、次いで図２及び図３に示したような折り畳み状態へと旋回させることができる。眼鏡器具２０を折り畳み状態から拡開状態へと移行させるためには、上記ステップが逆に行われる。
【００１９】
前記のことを考慮すると、本発明が従来技術と比較して複数の利点を有することが認められるべきである。本発明により、ラップアラウンド型の眼鏡を折り畳む、又は拡開状態から折り畳み状態へと何らかの形式で移行させることができるようになる。
【００２０】
発明の範囲から逸脱することなく、ここで説明及び例示された構成において様々な変更をなし得るので、前記説明に含まれた又は添付の図面に示された全ての事項は、限定するものではなく例示的であると解されることが意図されている。つまり、本発明の広さ及び範囲は、上述の典型的な実施の形態によって限定されるべきではなく、ここに添付された以下の請求項及びそれらの均等物に従ってのみ規定されるべきである。
【００２１】
請求項又は発明の典型的な実施の形態の上記説明における本発明の要素を導入する場合、「備える」、「含む」及び「有する」という用語は、無制限であることが意図されており、列挙された要素以外の付加的な要素が存在してもよいことを意味する。加えて、「部分」という用語は、それが修飾する物又は要素のうちの幾つか又は全てを意味するものと解されるべきである。さらに、第１、第２及び第３などの識別子の使用は、限界の間におけるいかなる相対的位置又は時間シーケンスを課す形式において解されるべきではない。
【図１】
2017500611.tif 000003
【図２】
2017500611.tif 000004
【図３】
2017500611.tif 000005
【図４】
2017500611.tif 000006
【図５】
2017500611.tif 000007
【図６】
2017500611.tif 000008
【図７】
2017500611.tif 000009
【図８】
2017500611.tif 000010
【国際調査報告】
2017500611.tif 000011